(57)【特許請求の範囲】
【請求項１】
基地局（ＢＳ）によるワイヤレス通信のための方法であって、
前記基地局のための第１のサブフレーム構成と、１つまたは複数の他の基地局のための第２のサブフレーム構成とを決定することと、ここにおいて、前記第１のサブフレーム構成と前記第２のサブフレーム構成とがアップリンク部分とダウンリンク部分との異なる比を有する、ここにおいて、前記第１および第２のサブフレーム構成は、スペシャルサブフレーム（ＳＳＦ）構成であり、ここにおいて、前記第１のサブフレーム構成と前記第２のサブフレーム構成とが異なる長さのダウンリンク部分を有する、ここにおいて、前記第１および第２のサブフレーム構成は、異なる基地局が、他の基地局によって引き起こされる干渉を測定することを可能にするために周期的に変更される、
前記第２のサブフレーム構成のダウンリンク部分中で送信される基準信号に基づいて、前記１つまたは複数の他の基地局によって引き起こされる干渉を測定することと
を備える、方法。
【請求項２】
前記第１および第２のサブフレーム構成を前記１つまたは複数の他の基地局と交換することをさらに備える、ここにおいて、前記交換することは、前記基地局のために短いダウンリンクパイロットタイムスロット（ＤｗＰＴＳ）構成が選択され、前記１つまたは複数の他の基地局のために長いＤｗＰＴＳ構成が選択されているとき、前記基地局のために長いＤｗＰＴＳ構成を選択し、前記１つまたは複数の他の基地局のために短いＤｗＰＴＳ構成を選択することを含む、請求項１に記載の方法。
【請求項３】
基準信号測定値を前記１つまたは複数の他の基地局と交換することをさらに備える、請求項１に記載の方法。
【請求項４】
ユーザ機器（ＵＥ）によるワイヤレス通信のための方法であって、
前記ＵＥのための第１のスペシャルサブフレーム（ＳＳＦ）構成と、１つまたは複数の他のＵＥのための第２のＳＳＦ構成とを決定することと、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定することと
を備える、方法。
【請求項５】
前記第１および第２のＳＳＦ構成は、異なるＵＥが、他のＵＥによって引き起こされる干渉を測定することを可能にするために周期的に変更される、請求項４に記載の方法。
【請求項６】
基地局から前記第１および第２のＳＳＦ構成のシグナリングを受信することをさらに備える、請求項４に記載の方法。
【請求項７】
１つまたは複数の他の基地局に測定値を報告することをさらに備える、請求項４に記載の方法。
【請求項８】
基地局（ＢＳ）によるワイヤレス通信のための装置であって、
前記基地局のための第１のサブフレーム構成と、１つまたは複数の他の基地局のための第２のサブフレーム構成とを決定するための手段と、ここにおいて、前記第１のサブフレーム構成と前記第２のサブフレーム構成とがアップリンク部分とダウンリンク部分との異なる比を有する、ここにおいて、前記第１および第２のサブフレーム構成は、スペシャルサブフレーム（ＳＳＦ）構成であり、ここにおいて、前記第１のサブフレーム構成と前記第２のサブフレーム構成とが異なる長さのダウンリンク部分を有する、ここにおいて、前記第１および第２のサブフレーム構成は、異なる基地局が、他の基地局によって引き起こされる干渉を測定することを可能にするために周期的に変更される、
前記第２のサブフレーム構成のダウンリンク部分中で送信される基準信号に基づいて、前記１つまたは複数の他の基地局によって引き起こされる干渉を測定するための手段と
を備える、装置。
【請求項９】
前記第１および第２のサブフレーム構成を前記１つまたは複数の他の基地局と交換するための手段をさらに備える、ここにおいて、交換するための前記手段は、前記基地局のために短いダウンリンクパイロットタイムスロット（ＤｗＰＴＳ）構成が選択され、前記１つまたは複数の他の基地局のために長いＤｗＰＴＳ構成が選択されているとき、前記基地局のために長いＤｗＰＴＳ構成を選択し、前記１つまたは複数の他の基地局のために短いＤｗＰＴＳ構成を選択するための手段を含む、請求項８に記載の装置。
【請求項１０】
ユーザ機器（ＵＥ）によるワイヤレス通信のための装置であって、
前記ＵＥのための第１のスペシャルサブフレーム（ＳＳＦ）構成と、１つまたは複数の他のＵＥのための第２のＳＳＦ構成とを決定するための手段と、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定するための手段と
を備える、装置。
【請求項１１】
前記第１および第２のＳＳＦ構成は、異なるＵＥが、他のＵＥによって引き起こされる干渉を測定することを可能にするために周期的に変更される、請求項１０に記載の装置。
【請求項１２】
実行されると、請求項１〜７のうちの一項に記載の方法を、少なくとも１つのコンピュータに行わせるための実行可能命令を備えるコンピュータプログラム。
【発明の詳細な説明】
【技術分野】
【０００１】
関連出願の相互参照
[0001]本出願は、本出願の譲受人に譲渡され、その内容が参照により本明細書に組み込まれる、２０１３年４月９日に出願された「eNB−eNB And UE−UE Measurement For Interference Mitigation」と題するＰＣＴ出願第ＰＣＴ／ＣＮ２０１３／０７３９６９号の利益を主張する。
【０００２】
[0002]本開示は、一般に通信システムに関し、より詳細には、干渉を緩和する（mitigating）ための方法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。一般的なワイヤレス通信システムは、利用可能なシステムリソース（たとえば、帯域幅、送信電力）を共有することによって複数のユーザとの通信をサポートすることが可能な多元接続（multiple-access）技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥ／ＬＴＥアドバンスト（LTE-Advanced）は、第３世代パートナーシッププロジェクト（３ＧＰＰ：Third Generation Partnership Project）によって公表されたユニバーサル・モバイル・テレコミュニケーションズ・システム（ＵＭＴＳ：Universal Mobile Telecommunications System）モバイル規格の拡張のセットである。ＬＴＥ／ＬＴＥアドバンストは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、基地局（ＢＳ）によるワイヤレス通信のための方法を提供する。本方法は、概して、基地局のための第１のスペシャルサブフレーム（ＳＳＦ：special sub-frame）構成（configuration）と、１つまたは複数の他の基地局のための第２のＳＳＦ構成とを決定することと、ここにおいて、第１のＳＳＦ構成と第２のＳＳＦ構成とが異なる長さのダウンリンク部分（different length downlink portions）を有する、第２のＳＳＦ構成のダウンリンク部分中で送信される基準信号に基づいて、１つまたは複数の他の基地局によって引き起こされる干渉を測定することとを含む。
【０００６】
[0006]本開示のいくつかの態様は、基地局（ＢＳ）によるワイヤレス通信のための方法を提供する。本方法は、概して、基地局のための第１のサブフレーム構成（subframe configuration）と、１つまたは複数の他の基地局のための第２のサブフレーム構成とを決定することと、ここにおいて、第１の構成と第２の構成とがアップリンク部分とダウンリンク部分との異なる比（different ratios of uplink to downlink portions）を有する、第２のサブフレーム構成のダウンリンク部分中で送信される基準信号に基づいて、１つまたは複数の他の基地局によって引き起こされる干渉を測定することとを含む。
【０００７】
[0007]本開示のいくつかの態様は、ユーザ機器（ＵＥ）によるワイヤレス通信のための方法を提供する。本方法は、概して、ＵＥのための第１のスペシャルサブフレーム（ＳＳＦ）構成と、１つまたは複数の他のＵＥのための第２のＳＳＦ構成とを決定することと、ここにおいて、第１のＳＳＦ構成と第２のＳＳＦ構成とが異なる長さのダウンリンク部分を有する、第２のＳＳＦ構成のダウンリンク部分中で送信される基準信号に基づいて、１つまたは複数の他のＵＥによって引き起こされる干渉を測定することとを含む。
【０００８】
[0008]本開示のいくつかの態様は、基地局（ＢＳ）によるワイヤレス通信のための装置を提供する。本装置は、概して、基地局のための第１のスペシャルサブフレーム（ＳＳＦ）構成と、１つまたは複数の他の基地局のための第２のＳＳＦ構成とを決定するための手段と、ここにおいて、第１のＳＳＦ構成と第２のＳＳＦ構成とが異なる長さのダウンリンク部分を有する、第２のＳＳＦ構成のダウンリンク部分中で送信される基準信号に基づいて、１つまたは複数の他の基地局によって引き起こされる干渉を測定するための手段とを含む。
【０００９】
[0009]本開示のいくつかの態様は、基地局（ＢＳ）によるワイヤレス通信のための装置を提供する。本装置は、概して、基地局のための第１のサブフレーム構成と、１つまたは複数の他の基地局のための第２のサブフレーム構成とを決定するための手段と、ここにおいて、第１の構成と第２の構成とがアップリンク部分とダウンリンク部分との異なる比を有する、第２のサブフレーム構成のダウンリンク部分中で送信される基準信号に基づいて、１つまたは複数の他の基地局によって引き起こされる干渉を測定するための手段とを含む。
【００１０】
[0010]本開示のいくつかの態様は、ユーザ機器（ＵＥ）によるワイヤレス通信のための装置を提供する。本装置は、概して、ＵＥのための第１のスペシャルサブフレーム（ＳＳＦ）構成と、１つまたは複数の他のＵＥのための第２のＳＳＦ構成とを決定するための手段と、ここにおいて、第１のＳＳＦ構成と第２のＳＳＦ構成とが異なる長さのダウンリンク部分を有する、第２のＳＳＦ構成のダウンリンク部分中で送信される基準信号に基づいて、１つまたは複数の他のＵＥによって引き起こされる干渉を測定するための手段とを含む。
【００１１】
[0011]また、上記参照の方法を実行するための様々なプロセッサベース装置およびコンピュータプログラム製品が提供される。
【図面の簡単な説明】
【００１２】
【図１】[0012]ネットワークアーキテクチャの一例を示す図。
【図２】[0013]アクセスネットワークの一例を示す図。
【図３】[0014]ＬＴＥにおけるＤＬフレーム構造の一例を示す図。
【図４】[0015]ＬＴＥにおけるＵＬフレーム構造の一例を示す図。
【図５】[0016]ユーザプレーンおよび制御プレーンのための無線プロトコルアーキテクチャの一例を示す図。
【図６】[0017]本開示のいくつかの態様による、アクセスネットワーク中の発展型ノードＢおよびユーザ機器の一例を示す図。
【図７】[0018]本開示のいくつかの態様による、異なるサブフレーム構成がどのように使用され得るかを示す図。
【図８】[0019]本開示のいくつかの態様による、緩和され得る異なるタイプの干渉を示す図。
【図９】[0020]本開示のいくつかの態様による、干渉を測定するのを助けるために使用され得る異なるタイプのＳＳＦ構成を示す図。
【図１０】[0021]本開示のいくつかの態様による、異なるＳＳＦ構成がどのように使用され得るかの一例を示す図。
【図１１】[0022]本開示のいくつかの態様による、基地局（ＢＳ）によって実行される例示的な動作１１００を示す図。
【図１２】[0023]本開示のいくつかの態様による、基地局（ＢＳ）によって実行される例示的な動作１２００を示す図。
【図１３】[0024]本開示のいくつかの態様による、ユーザ機器（ＵＥ）によって実行される例示的な動作１３００を示す図。
【詳細な説明】
【００１３】
[0025]本開示の態様は、ある基地局によって別の基地局に対して引き起こす干渉（ｅＮＢ間干渉（eNB-eNB interference））、および／またはあるユーザ機器によって別のユーザ機器に対して引き起こされる干渉（ＵＥ間干渉（UE-UE interference））を緩和するのを助け得る。そのような技法は、ｅＮＢ間および／またはＵＥ間の干渉測定を可能にするために、慎重に選択されたスペシャルサブフレーム（ＳＳＦ）構成を利用し得る。
【００１４】
[0026]添付の図面に関して以下に記載する詳細な説明は、様々な構成を説明するものであり、本明細書で説明する概念が実施され得る構成のみを表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0027]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、ハードウェア、ソフトウェア／ファームウェア、またはそれらの組合せを使用して実装され得る。そのような要素がハードウェアとして実装されるのか、ソフトウェアとして実装されるのかは、特定の適用例および全体的なシステムに課される設計制約に依存する。
【００１６】
例示的なワイヤレス通信システム
[0028]図１は、本開示の態様が利用され得るＬＴＥネットワークアーキテクチャ１００を示す図である。
【００１７】
[0029]ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネット・プロトコル（ＩＰ）サービス１２２とを含み得る。ＥＰＳは他のアクセスネットワークと相互接続することができるが、簡単のために、それらのエンティティ／インターフェースは図示していない。例示的な他のアクセスネットワークは、ＩＰマルチメディアサブシステム（ＩＭＳ：IP Multimedia Subsystem）パケットデータネットワーク（ＰＤＮ：Packet Data Network）、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００１８】
[0030]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２に対してＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、ネットブック、スマートブック、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１９】
[0031]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、たとえば、インターネットと、イントラネットと、ＩＰマルチメディアサブシステム（ＩＭＳ）と、ＰＳストリーミングサービス（ＰＳＳ：PS Streaming Service）とを含み得る。このようにして、ＵＥ１０２は、ＬＴＥネットワークを通してＰＤＮに結合され得る。
【００２０】
[0032]本開示の態様は、同じタイプのデバイスによって引き起こされる干渉を緩和するために利用され得る。たとえば、そのような態様は、たとえば、ｅＮＢ１０６のダウンリンク送信によって１つまたは複数の他のｅＮＢ１０８のダウンリンク送信に対して引き起こされる、ｅＮＢ間干渉を緩和するために使用され得る。同様に、そのような態様は、たとえば、ＵＥ１０２のアップリンク送信によって１つまたは複数の他のＵＥのアップリンク送信に対して引き起こされる、ＵＥ間干渉を緩和するために使用され得る。
【００２１】
[0033]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。
【００２２】
[0034]本明細書で提示する技法は、同じタイプまたは異なるタイプのｅＮＢ間の干渉を緩和するために適用され得る。本明細書で提示する技法はまた、同じタイプのｅＮＢによってまたは異なるタイプのｅＮＢによってサービスされるＵＥ間の干渉を緩和するために適用され得る。
【００２３】
[0035]マクロｅＮＢ２０４は各々、それぞれのセル２０２に割り当てられ、セル２０２中のすべてのＵＥ２０６に対してＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２４】
[0036]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータ・オプティマイズド（ＥＶ−ＤＯ：Evolution-Data Optimized）またはウルトラモバイル・ブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイル・ブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００２５】
[0037]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２６】
[0038]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリーム・ビームフォーミング送信が使用され得る。
【００２７】
[0039]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリア上でデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉（inter-OFDM-symbol interferenc）に対抗するために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２８】
[0040]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥに対するデータレートは高くなる。
【００２９】
[0041]ＬＴＥでは、ｅＮＢは、ｅＮＢ中の各セルに対して１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５中で送られ得る。同期信号は、セル検出および獲得のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３０】
[0042]ｅＮＢは、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３１】
[0043]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００３２】
[0044]各シンボル期間においていくつかのリソース要素が利用可能であり得る。各リソース要素（ＲＥ：resource element）は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。
【００３３】
[0045]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００３４】
[0046]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の隣接サブキャリアのすべてを割り当てられることを可能にし得る、隣接サブキャリアを含むデータセクションを生じる。
【００３５】
[0047]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにまたがり得、周波数にわたってホッピングし得る。
【００３６】
[0048]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の隣接サブフレームのシーケンス中で搬送され、ＵＥは、フレーム（１０ｍｓ）ごとに単一のＰＲＡＣＨ試みだけを行うことができる。
【００３７】
[0049]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６上のＵＥとｅＮＢとの間のリンクを担当する。
【００３８】
[0050]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３９】
[0051]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補償するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００４０】
[0052]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４１】
[0053]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４２】
[0054]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに組み合わされて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４３】
[0055]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６にその情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、その情報に対して空間処理を実行する。複数の空間ストリームがＵＥ６５０に宛てられた場合、それらはＲＸプロセッサ６５６によって単一のＯＦＤＭシンボルストリームに組み合わされ得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００４４】
[0056]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間の多重分離（demultiplexing）と、パケットリアセンブリと、解読（deciphering）と、ヘッダ圧縮復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４５】
[0057]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを提供することによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４６】
[0058]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４７】
[0059]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０にその情報を与える。ＲＸプロセッサ６７０はＬ１レイヤを実装し得る。
【００４８】
[0060]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダ圧縮復元と、制御信号処理とを提供する。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４９】
例示的な干渉緩和
[0061]フレキシブルＤＬ／ＵＬ構成は、概して、ＴＤＤスペクトルを十分に利用する１つの効率的な方法と見なされ、３ＧＰＰの拡張干渉緩和およびトラフィック適応（ｅＩＭＴＡ：enhanced interference mitigation and traffic adaptation）ＳＩ／ＷＩにおいて扱われている。図７に、異なるサブフレーム構成（構成１（７０２）および構成２（７０４））が、ＤＬ／ＵＬトラフィックローディングに応じて、異なる時間にどのように使用され得るかを示す。時間とともに、アップリンクおよびダウンリンク・トラフィック・ローディング７０６が変化するにつれて、サブフレーム構成は、アップリンクおよびダウンリンク・トラフィック変化の変化に適応するために変化し得る。たとえば、ある時点において、アップリンク・トラフィック・ローディングとダウンリンク・トラフィック・ローディングとは、ローディング７０６ｅに示されているようにほぼ等しくなり得る。７０６ｆにおいて、アップリンクおよびダウンリンク・ローディングは、アップリンクデータを圧倒的に有するように変化し得、サブフレーム構成は、トラフィックのこれらの変化に適応するために変更され得る。同様に、たとえば、ローディング７０６ｃ（ほぼ等しいローディング）からローディング７０６ｄ（ダウンリンク・ローディングよりも高いアップリンク・ローディングを有する）に移る際に、サブフレーム構成は、減少したアップリンク・ローディングを反映するために変更され得る。
【００５０】
[0062]そのような技法は、隣接するセルが異なる方向において動作を実行している（たとえば、１つのセルがダウンリンクアクティビティを有し、近隣のセルがアップリンク・アクティビティを有するか、またはその逆である）ときにｅＮＢ間またはＵＥ間干渉があり得る場合に使用され得る。あるｅＮＢから別のｅＮＢへの、またはあるＵＥから別のＵＥへの干渉を緩和するために、セルクラスタＩＭ（ＣＣＩＭ：cell cluster IM）と、スケジューリング依存ＩＭ（ＳＤＩＭ：scheduling dependent IM）と、拡張セル間干渉協調（ｅＩＣＩＣ：enhanced inter-cell interference coordination）および／またはさらなる拡張セル間干渉消去（ＦｅＩＣＩＣ：further enhanced inter-cell interference cancellation）方式に基づく干渉緩和と、干渉抑圧干渉緩和（ＩＳＩＭ：interference suppressing interference mitigation）とを含む、多くのソリューションが検討されてきた。
【００５１】
[0063]そのようなソリューションの大部分は干渉のｅＮＢまたはＵＥ測定に依存する。しかしながら、現在の仕様では、ｅＮＢ間およびＵＥ間測定はサポートされず、したがって、ｅＮＢ間および／またはＵＥ間干渉が緩和されるべきである場合、ｅＮＢ間およびＵＥ間測定のために新しい設計が必要とされる。
【００５２】
[0064]図８に、ｅＮＢ間干渉とＵＥ間干渉とを含む、隣接するセルが異なる方向における送信を有するときの例示的なＤＬ−ＵＬ干渉を示す。図示のように、ネットワーク８００は、１つまたは複数のＵＥ８０２と１つまたは複数のｅＮＢ８０４とを有し得る。ＵＥ８０２は、図２に示されたＵＥ２０６のうちの１つまたは複数に対応し得、ｅＮＢ８０４は、図２に示されたｅＮＢ２０４またはフェムトｅＮＢ２０８のうちの１つまたは複数に対応し得る。この図では、ｅＮＢ８０４ｂからダウンリンク上でデータを受信していることがあるＵＥ８０２ｂは、アップリンク上で別のｅＮＢにデータを送信していることがあるＵＥ８０２ａおよび８０２ｃからのＵＥ間干渉を経験し得る。同様に、ダウンリンク上でデータを送信しているｅＮＢ８０４ｂは、それぞれＵＥ８０２ａおよび８０２ｃからアップリンク上でデータを受信していることがあるｅＮＢ８０４ａおよび８０４ｃに対してｅＮＢ間干渉を引き起こし得る。
【００５３】
[0065]本開示の態様は、図８に示されたものなど、ある基地局によって別の基地局に対して引き起こされる干渉（ｅＮＢ間干渉）、および／またはあるユーザ機器によって別のユーザ機器に対して引き起こされる干渉（ＵＥ間干渉）を緩和するのを助け得る。そのような技法は、ｅＮＢ間および／またはＵＥ間干渉測定を可能にするために、慎重に選択されたスペシャルサブフレーム（ＳＳＦ）構成を利用し得る。
【００５４】
[0066]図９に、例示的なＳＳＦ構成９００と、それらが、（ダウンリンク・パイロット・タイムスロットＤｗＰＴＳ（９０２）をもつ）ダウンリンク部分、（アップリンク・パイロット・タイムスロットＵｐＰＴＳ（９０４）をもつ）アップリンク部分、およびガード期間（ＧＰ：guard period（９０６））においてどのように異なるかと、を示す。
【００５５】
[0067]本明細書で提示する技法は、以下でより詳細に説明するように、ｅＮＢ間またはＵＥ間干渉の測定を可能にするために、１つまたは複数のデバイスが使用するための異なるＳＳＦ構成を選択することによってデバイス間の干渉を緩和し得る。
【００５６】
[0068]１つの例示的な技法は、近隣のセルにおいて異なるスペシャルサブフレーム（ＳＳＦ）構成を利用し、ガード期間（guard periods）（ＧＰ）中で測定し得る。場合によっては、ＳＳＦ構成の総数の中から、ｅＮＢ間干渉を測定しなければならないセルのために使用されるべき構成のグループが選択され得る。１つのオプションは、セルのうちの１つのために短いＤｗＰＴＳ構成（たとえば、構成０／５など、比較的短いＤｗＰＴＳ９０２を有するＳＳＦ構成）を選択し、すべての他のセルのために長いＤｗＰＴＳ構成（たとえば、構成１／２／３／４／６／７／８など、比較的大きいＤｗＰＴＳ９０２を有するＳＳＦ構成）を選択することである。別のオプションは、セルのうちの１つのために長いＤｗＰＴＳ構成（たとえば、構成１／２／３／４／６／７／８）を選択し、すべての他のセルのために短いＤｗＰＴＳ構成（たとえば、構成０／５）を選択することである。
【００５７】
[0069]図１０に、異なるセルが異なるＳＳＦ構成をどのように割り当てられ得るかの一例を示す。図示の例１０００では、第１のセル１００２はＳＳＦ構成５を有し、第２のセル１００４は構成６を有し、第３のセル１００６は構成９を有する。
【００５８】
[0070]ステップ１における選択されたスペシャルサブフレーム構成を測定セルに割り当てるために、以下のプロシージャが定義され得る。第１のオプションによれば、測定されるｅＮＢと測定するｅＮＢとが、選択されたスペシャルサブフレーム構成をいつおよびどのように構成するかに関して時間パターンが定義され得る。別のオプションによれば、測定するｅＮＢが時間内に測定を実行することを可能にするために、Ｘ２遅延よりも大きいスペシャルサブフレーム再構成のためにタイマーが定義され得る。
【００５９】
[0071]いずれの場合も、ｅＮＢ間干渉測定は、サービングセルのＧＰ中で近隣のセルのＤｗＰＴＳのＣＲＳ／ＣＳＩ−ＲＳ測定に基づいて実行され得る。上記で説明した第１の例示的なＳＳＦ構成が使用される場合、短いＤｗＰＴＳ９０２で構成されたセルは、それのガード期間中で近隣のセルのＣＲＳ／ＣＳＩ−ＲＳを測定する。短いＤｗＰＴＳ９０２をもつセルに対する近隣のセルは、長いＤｗＰＴＳ９０２で構成され得、近隣のセルは、異なるＣＲＳ／ＣＳＩ−ＲＳ周波数パターンおよび異なるＣＲＳ／ＣＳＩ−ＲＳシーケンスによって識別され得る。第２の例示的なＳＳＦ構成が使用される場合、短いＤｗＰＴＳ９０２で構成されたすべてのセルは、それらのガード期間中で近隣のセルのＣＲＳ／ＣＳＩ−ＲＳを測定し、近隣のセルのうちの１つは長いＤｗＰＴＳで構成される。
【００６０】
[0072]すべてのセルがｅＮＢ間干渉を測定することができることを保証するのを助けるために、少なくとも２つの方式が使用され得る。１つの方式では、近隣のセルのためのＳＳＦ構成を循環的に（cyclically）構成するために、割当てステップおよび測定ステップについて時間サイクルパターンが定義され得、したがって、すべてのセルがｅＮＢ間干渉を測定することができる。別の方式では、経路損失などのｅＮＢ測定結果を、最長ＤｗＰＴＳパターンを有する近隣のセルと交換しながら、構成パターンは一定に保たれ得る。
【００６１】
[0073]ＵＥ間測定の場合、近隣のセルの異なる長さのＵｐＰＴＳでＳＳＦ構成を構成することによって、上記で説明した同じ原理が利用され得る。さらに、上記で説明したＤｗＰＴＳ測定機構と同様の、ＵＥ間測定のための新しいＵｐＰＴＳパターンが設計され得る。たとえば、６つのＤｗＰＴＳタイムスロット、５つのＧＰタイムスロット、および３つのＵｐＰＴＳタイムスロット（６：５：３）の新しいＳＳＦが定義され得、３：１０：１／６：５：３構成が、上記で説明したＤｗＰＴＳ測定機構と同様にＵＥ間測定のために使用され得る。
【００６２】
[0074]一技法によれば、ｅＮＢ間干渉測定のためにブランクＵＬサブフレーム（blank UL sub-frames）が使用され得る。この場合、ｅＮＢ間干渉を測定しなければならないすべてのセルについて、いくつかのセルは相対的ＵＬヘビー構成（relative UL heavy configuration）で構成され、相対的ＤＬヘビー構成で他のセルを構成し得る。選択されたサブフレーム構成を測定セルに割り当てるためのプロシージャが定義され得る。場合によっては、測定されるｅＮＢと測定するｅＮＢとが、選択されたサブフレーム構成をいつおよびどのように構成するかに関して時間パターンが定義され得る。他の場合、測定するｅＮＢが時間内に測定を実行することを可能にするために、Ｘ２遅延よりも大きいサブフレーム再構成のためにタイマーが定義され得る。
【００６３】
[0075]相対的ＵＬヘビー構成で構成されたセルでは、ＵＬスケジューリングは、ＵＬフレキシブルサブフレーム（UL flexible sub-frame）の一部において制限され、それらをＵＬブランクにし（make them UL blank）得る。これらのＵＬブランクサブフレーム（UL blank sub-frames）において、いくつかのセルは、ｅＮＢ間干渉測定のために他の相対的ＤＬヘビー構成セルのＣＲＳ／ＣＳＩ−ＲＳを測定し得る。
【００６４】
[0076]すべてのセルがｅＮＢ間干渉を測定することができることを保証するのを助けるために、２つの方式が使用され得る。第１の事例では、近隣のセルのためのブランクＵＬサブフレームを循環的に構成するために時間サイクルパターンが割り当てられ得、したがって、すべてのセルがｅＮＢ間干渉を測定することができる。第２の事例では、経路損失などのｅＮＢ測定結果を近隣のセルと交換しながら、構成パターンは一定に保たれ得る。
【００６５】
[0077]場合によっては、異なる技法は、標準実装形態に関して異なる影響を有し得る。上記で説明した第１の技法の場合、ｅＮＢ間干渉測定のための近隣のセル間でのスペシャルサブフレーム構成の交換、または近隣のセル間でのｅＮＢ間干渉測定結果の交換がある必要があり得る。ｅＮＢは、ｅＮＢのガード期間中に他のセルのＣＲＳ／ＣＳＩ−ＲＳを測定する必要があり得る。
【００６６】
[0078]上記で説明した第２の技法の場合、近隣のセル間でのブランクＵＬサブフレーム構成の交換、または近隣のセル間でのｅＮＢ間干渉測定結果の交換がある必要があり得る。ｅＮＢは、ｅＮＢのＵＬサブフレーム中で他のセルのＣＲＳ／ＣＳＩ−ＲＳを測定する必要があり得る。
【００６７】
[0079]図１１に、基地局（ＢＳ）によるワイヤレス通信のための方法の例示的な動作１１００を示す。ＢＳは、たとえば、図２に示された基地局２０４またはフェムト基地局２０６のうちの１つであり得る。動作１１００は、概して、１１０２において、基地局のための第１のスペシャルサブフレーム（ＳＳＦ）構成と、１つまたは複数の他の基地局のための第２のＳＳＦ構成とを決定することと、ここにおいて、第１のＳＳＦ構成と第２のＳＳＦ構成とが異なる長さのダウンリンク部分を有する、１１０４において、第２のＳＳＦ構成のダウンリンク部分中で送信される基準信号に基づいて、１つまたは複数の他の基地局によって引き起こされる干渉を測定することとを含む。
【００６８】
[0080]図１２に、基地局（ＢＳ）によるワイヤレス通信のための方法の例示的な動作１２００を示す。ＢＳは、たとえば、図２に示された基地局２０４またはフェムト基地局２０６のうちの１つであり得る。動作１２００は、概して、１２０２において、基地局のための第１のサブフレーム構成と、１つまたは複数の他の基地局のための第２のサブフレーム構成とを決定することと、ここにおいて、第１の構成と第２の構成とがアップリンク部分とダウンリンク部分との異なる比を有する、１２０４において、第２のサブフレーム構成のダウンリンク部分中で送信される基準信号に基づいて、１つまたは複数の他の基地局によって引き起こされる干渉を測定することとを含む。
【００６９】
[0081]図１３に、ユーザ機器（ＵＥ）によるワイヤレス通信のための方法の例示的な動作１３００を示す。ＵＥは、たとえば、図２に示されたＵＥ２０６のうちの１つであり得る。動作１３００は、概して、１３０２において、ＵＥのための第１のスペシャルサブフレーム（ＳＳＦ）構成と、１つまたは複数の他のＵＥのための第２のＳＳＦ構成とを決定することと、ここにおいて、第１のＳＳＦ構成と第２のＳＳＦ構成とが異なる長さのダウンリンク部分を有する、１３０４において、第２のＳＳＦ構成のダウンリンク部分中で送信される基準信号に基づいて、１つまたは複数の他のＵＥによって引き起こされる干渉を測定することとを含む。
【００７０】
[0082]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７１】
[0083]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００７２】
[0084]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア／ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００７３】
[0085]したがって、１つまたは複数の例示的な実施形態では、説明した機能は、ハードウェア、ソフトウェア／ファームウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７４】
[0086]以上の説明は、当業者が本明細書で説明した様々な態様を実施することができるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
基地局（ＢＳ）によるワイヤレス通信のための方法であって、
前記基地局のための第１のサブフレーム構成と、１つまたは複数の他の基地局のための第２のサブフレーム構成とを決定することと、ここにおいて、前記第１のサブフレーム構成と前記第２のサブフレーム構成とがアップリンク部分とダウンリンク部分との異なる比を有する、
前記第２のサブフレーム構成のダウンリンク部分中で送信される基準信号に基づいて、前記１つまたは複数の他の基地局によって引き起こされる干渉を測定することとを備える、方法。
［Ｃ２］
前記第１および第２のサブフレーム構成は、異なる基地局が、他の基地局によって引き起こされる干渉を測定することを可能にするために周期的に変更される、Ｃ１に記載の方法。
［Ｃ３］
前記第１および第２のサブフレーム構成を前記１つまたは複数の他の基地局と交換することをさらに備える、Ｃ１に記載の方法。
［Ｃ４］
基準信号測定値を前記１つまたは複数の他の基地局と交換することをさらに備える、Ｃ１に記載の方法。
［Ｃ５］
前記第１および第２のサブフレーム構成がスペシャルサブフレーム（ＳＳＦ）構成を備える、Ｃ１に記載の方法。
［Ｃ６］
ユーザ機器（ＵＥ）によるワイヤレス通信のための方法であって、
前記ＵＥのための第１のスペシャルサブフレーム（ＳＳＦ）構成と、１つまたは複数の他のＵＥのための第２のＳＳＦ構成とを決定することと、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定することと
を備える、方法。
［Ｃ７］
前記第１および第２のＳＳＦ構成は、異なるＵＥが、他のＵＥによって引き起こされる干渉を測定することを可能にするために周期的に変更される、Ｃ６に記載の方法。
［Ｃ８］
基地局から前記第１および第２のＳＳＦ構成のシグナリングを受信することをさらに備える、Ｃ６に記載の方法。
［Ｃ９］
１つまたは複数の他の基地局に測定値を報告することをさらに備える、Ｃ６に記載の方法。
［Ｃ１０］
基地局（ＢＳ）によるワイヤレス通信のための装置であって、
前記基地局のための第１のサブフレーム構成と、１つまたは複数の他の基地局のための第２のサブフレーム構成とを決定するための手段と、ここにおいて、前記第１のサブフレーム構成と前記第２のサブフレーム構成とがアップリンク部分とダウンリンク部分との異なる比を有する、
前記第２のサブフレーム構成のダウンリンク部分中で送信される基準信号に基づいて、前記１つまたは複数の他の基地局によって引き起こされる干渉を測定するための手段とを備える、装置。
［Ｃ１１］
前記第１および第２のサブフレーム構成は、異なる基地局が、他の基地局によって引き起こされる干渉を測定することを可能にするために周期的に変更される、Ｃ１０に記載の装置。
［Ｃ１２］
前記第１および第２のサブフレーム構成を前記１つまたは複数の他の基地局と交換するための手段をさらに備える、Ｃ１０に記載の装置。
［Ｃ１３］
基準信号測定値を前記１つまたは複数の他の基地局と交換するための手段をさらに備える、Ｃ１０に記載の装置。
［Ｃ１４］
前記第１および第２のサブフレーム構成がスペシャルサブフレーム（ＳＳＦ）構成を備える、Ｃ１０に記載の装置。
［Ｃ１５］
ユーザ機器（ＵＥ）によるワイヤレス通信のための装置であって、
前記ＵＥのための第１のスペシャルサブフレーム（ＳＳＦ）構成と、１つまたは複数の他のＵＥのための第２のＳＳＦ構成とを決定するための手段と、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定するための手段とを備える、装置。
［Ｃ１６］
前記第１および第２のＳＳＦ構成は、異なるＵＥが、他のＵＥによって引き起こされる干渉を測定することを可能にするために周期的に変更される、Ｃ１５に記載の装置。
［Ｃ１７］
基地局から前記第１および第２のＳＳＦ構成のシグナリングを受信するための手段をさらに備える、Ｃ１５に記載の装置。
［Ｃ１８］
１つまたは複数の他の基地局に測定値を報告するための手段をさらに備える、Ｃ１５に記載の装置。
【図１】
0006622185.tif 000002
【図２】
0006622185.tif 000003
【図３】
0006622185.tif 000004
【図４】
0006622185.tif 000005
【図５】
0006622185.tif 000006
【図６】
0006622185.tif 000007
【図７】
0006622185.tif 000008
【図８】
0006622185.tif 000009
【図９】
0006622185.tif 000010
【図１０】
0006622185.tif 000011
【図１１】
0006622185.tif 000012
【図１２】
0006622185.tif 000013
【図１３】
0006622185.tif 000014